【手続補正書】
【提出日】平成25年3月1日(2013.3.1)
【手続補正１】
【補正対象書類名】明細書
【補正対象項目名】発明の名称
【補正方法】変更
【補正の内容】
【発明の名称】弾性的に伸縮可能な織物状力検出アレイ
【手続補正２】
【補正対象書類名】特許請求の範囲
【補正対象項目名】全文
【補正方法】変更
【補正の内容】
【特許請求の範囲】
【請求項１】
作用する力を測定するための力検出トランスデューサであって、
ａ．細長く弾性的に伸縮可能な行方向導電糸と、
ｂ．細長く弾性的に伸縮可能な列方向導電糸と
を備え、
ｃ．前記行方向導電糸及び前記列方向導電糸の少なくとも１つにおける弾性的な伸縮能力は、少なくとも１パーセント程度であり、
ｄ．前記行方向糸と前記列方向糸との間で前記行方向糸及び前記列方向糸と導電可能に接触して位置するピエゾ抵抗材
をさらに備える力検出トランスデューサ。
【請求項２】
前記ピエゾ抵抗材は、前記行方向導電糸及び前記列方向導電糸の少なくとも１つの上の弾性的に変形可能な被覆に含まれるとしてさらに定義される請求項１に記載の力検出トランスデューサ。
【請求項３】
前記行方向糸及び前記列方向糸は、弾性的に変形可能な基材シートの対における内側で対面する側に取り付けられる請求項２に記載の力検出トランスデューサ。
【請求項４】
前記基材シートの少なくとも１つは織布から作製される請求項３に記載の力検出トランスデューサ。
【請求項５】
前記行方向導電糸及び前記列方向導電糸の少なくとも１つは、絶縁性縫製糸によって基材シートに取り付けられる請求項４に記載の力検出トランスデューサ。
【請求項６】
前記行方向導電糸及び前記列方向導電糸は、弾性的に変形可能な絶縁基材シートの片側に取り付けられる請求項２に記載の力検出トランスデューサ。
【請求項７】
前記基材シートの少なくとも１つは織布から作製される請求項６に記載の力検出トランスデューサ。
【請求項８】
前記行方向導電糸及び前記列方向導電糸の少なくとも１つは、絶縁性縫製糸によって基材シートに取り付けられる請求項７に記載の力検出トランスデューサ。
【請求項９】
前記ピエゾ抵抗材は、前記行方向導電糸が接触し且つ前記列方向導電糸が接触する、ピエゾ抵抗物質を含んだ弾性的に変形可能なピエゾ抵抗基材シートに含まれるとしてさらに定義される請求項１に記載の力検出トランスデューサ。
【請求項１０】
前記ピエゾ抵抗基材シートは前記ピエゾ抵抗物質を含浸させている請求項９に記載の力検出トランスデューサ。
【請求項１１】
前記行方向糸及び前記列方向糸は、前記ピエゾ抵抗基材シートの対向する両側の平坦な表面に取り付けられる請求項９に記載の力検出トランスデューサ。
【請求項１２】
前記行方向糸及び前記列方向糸の少なくとも１つは、弾性的に変形可能な基材シートに取り付けられる請求項１１に記載の力検出トランスデューサ。
【請求項１３】
前記行方向導電糸及び前記列方向導電糸の少なくともいずれかはポリマーコアを有する請求項１に記載の力検出トランスデューサ。
【請求項１４】
前記ポリマーコアは糸の形態である請求項１３に記載の力検出トランスデューサ。
【請求項１５】
前記ポリマーコアはヤーンの形態である請求項１３に記載の力検出トランスデューサ。
【請求項１６】
前記ポリマーコアは、前記ポリマーコアの上に導電性被覆を形成している請求項１３に記載の力検出トランスデューサ。
【請求項１７】
前記行方向導電糸及び前記列方向導電糸の少なくともいずれかの弾性的な伸縮能力は、少なくとも約１０パーセント程度である請求項１に記載の力検出トランスデューサ。
【請求項１８】
前記行方向導電糸及び前記列方向導電糸の少なくともいずれかの弾性的な伸縮能力は、少なくとも約３０パーセント程度である請求項１に記載の力検出トランスデューサ。
【請求項１９】
１つの前記行方向導電糸は、複数ｍ本の平行な行方向導電糸のうちの１つによって構成される請求項１に記載の力検出トランスデューサ。
【請求項２０】
前記列方向導電糸は、前記複数の行方向導電糸に対し角度を付けられる請求項１９に記載の力検出トランスデューサ。
【請求項２１】
１つの前記列方向導電糸は、複数ｎ本の列方向導電糸のうちの１つによって構成される請求項２０に記載の力検出トランスデューサ。
【請求項２２】
前記複数の行方向導電糸は第１の表面に位置する請求項２１に記載の力検出トランスデューサ。
【請求項２３】
前記複数の列方向導電糸は第２の表面に位置する請求項２２に記載の力検出トランスデューサ。
【請求項２４】
前記第１の表面及び前記第２の表面は互いに平行である請求項２３に記載の力検出トランスデューサ。
【請求項２５】
前記行方向導電糸及び前記列方向導電糸の少なくともいずれかは、前記導電糸の第１の端部及び第２の端部を結ぶ線に対して波状に配列された経路に配置される請求項１に記載の力検出トランスデューサ。
【請求項２６】
前記行方向導電糸及び前記列方向導電糸の少なくともいずれかは、モノフィラメント糸、編糸、及び編ヤーンからなる群から選択されたポリマーから作製される請求項１に記載の力検出トランスデューサ。
【請求項２７】
作用する力を測定するための力検出トランスデューサにおいて、
細長く弾性的に伸縮可能な行方向導電糸及び細長く弾性的に伸縮可能な列方向導電糸であって、該行方向導電糸及び該列方向導電糸の少なくとも１つが、少なくとも約１パーセント程度の弾性的な伸縮能力を有し、該行方向導電糸及び該列方向導電糸の少なくとも１つはまた、導電性被覆がその上に形成されたポリマーコアを有する、行方向導電糸及び列方向導電糸と、
前記行方向糸と前記列方向糸との間で前記行方向糸及び前記列方向糸と導電可能に接触して位置するピエゾ抵抗材であって、前記導電性被覆の上に形成されるピエゾ抵抗被覆として定義されるピエゾ抵抗材と
を備える力検出トランスデューサ。
【請求項２８】
作用する力を測定するための力検出トランスデューサにおいて、
細長く弾性的に伸縮可能な行方向導電糸と、
細長く弾性的に伸縮可能な列方向導電糸であって、前記行方向導電糸及び該列方向導電糸の少なくとも１つが、少なくとも約１パーセント程度の弾性的な伸縮能力を有し、前記行方向導電糸及び該列方向導電糸の少なくとも１つはまた、ポリマーコアを有する、列方向導電糸と、
前記行方向糸と前記列方向糸との間で前記行方向糸及び前記列方向糸と導電可能に接触して位置するピエゾ抵抗材であって、前記ポリマーコアの上に形成されるピエゾ抵抗被覆として定義されるピエゾ抵抗材と
を備える力検出トランスデューサ。
【請求項２９】
空間的に分離された部分に作用する力を測定するための力検出トランスデューサアレイであって、
ａ．互いに空間的に分離され、細長く弾性的に伸縮可能である複数ｍ本の行方向導電糸と、
ｂ．互いに空間的に分離され、細長く弾性的に伸縮可能である複数ｎ本の列方向導電糸と
を備え、
ｃ．前記行方向導電糸及び前記列方向導電糸の少なくとも１つにおける弾性的な伸縮能力は、少なくとも１パーセント程度であり、
ｄ．前記行方向導電糸と前記列方向導電糸との間で前記行方向導電糸及び前記列方向導電糸と導電可能に接触して位置し、それにより前記導電糸のｐ＝ｍ×ｎ個の交差部で複数ｐ個のセンサ素子を形成するピエゾ抵抗材をさらに備える力検出トランスデューサアレイ。
【請求項３０】
前記ピエゾ抵抗材は、回路素子を含むとしてさらに定義され、前記回路素子は、前記ｐ個のセンサのうちの少なくとも１つと直列で非両方向性電気的インピーダンス特性を有し、それにより、前記行方向導電糸及び前記列方向導電糸における選択される対のマトリクスアドレス指定によって、前記センサ素子の電気的インピーダンスの測定同士の間でのクロストークを低減する請求項２９に記載の力検出トランスデューサアレイ。
【請求項３１】
前記非両方向性電気的インピーダンス特性はダイオードのような特性であるとしてさらに定義される請求項３０に記載の力検出トランスデューサアレイ。
【請求項３２】
前記ピエゾ抵抗材は、エラストマー固溶体内に懸濁する導電性粒子を含むとしてさらに定義される請求項３１に記載の力検出トランスデューサアレイ。
【請求項３３】
前記ダイオードのような特性は、前記ピエゾ抵抗材の表面を少なくとも１つの金属酸化物で被覆することによって形成される請求項３２に記載の力検出トランスデューサアレイ。
【請求項３４】
前記金属酸化物は、少なくとも１つの酸化銅を含むとしてさらに定義される請求項３３に記載の力検出トランスデューサアレイ。
【請求項３５】
前記ピエゾ抵抗材は、前記行方向導電糸及び前記列方向導電糸のうちの少なくとも１つの上の弾性的に変形可能な被覆に含まれるとしてさらに定義される請求項３２に記載の力検出トランスデューサアレイ。
【請求項３６】
前記ピエゾ抵抗材は、前記行方向導電糸が接触し且つ前記列方向導電糸が接触する、ピエゾ抵抗基材を含む弾性的に変形可能なピエゾ抵抗基材シートに含まれるとしてさらに定義される請求項３２に記載の力検出トランスデューサ。
【請求項３７】
空間的に分離された部分に作用する力を測定するための力検出トランスデューサアレイにおいて、
互いに空間的に分離され、細長く弾性的に伸縮可能である複数の行方向導電糸であって、各々が、導電性被覆がその上に形成されたポリマーコアを含む行方向導電糸と、
互いに空間的に分離され、細長く弾性的に伸縮可能である複数の列方向導電糸であって、各々が、導電性被覆がその上に形成されたポリマーコアを含む列方向導電糸と、
前記複数の行方向導電糸及び列方向導電糸の少なくとも１つにおける前記導電性被覆の少なくとも１つの上にある弾性的に変形可能な被覆に含まれるピエゾ抵抗材であって、前記複数の行方向導電糸及び列方向導電糸が、前記行方向導電糸及び前記列方向導電糸の複数の交差部で複数のセンサ素子を定義するピエゾ抵抗材と
を備える力検出トランスデューサアレイ。
【請求項３８】
前記行方向導電糸及び前記列方向導電糸は、弾性的に変形可能な基材シートに取り付けられる請求項３７に記載の力検出トランスデューサアレイ。